(57)【要約】【課題】貼り替えをしようとしたときには簡単に破れてしまい、元通りの状態で再度貼り付けることが不可能で、しかも、不要となった時には簡単にきれいに剥離できるようにしたラベルが一部に貼り付けられてなるラベル付き容器の提供を課題とする。【解決手段】一部にラベルが貼り付けられてなるラベル付き容器であって、ラベルは少なくとも紙層と樹脂フィルム層とが積層されてなるラベル基材を有し、その紙層の上には印刷層が、樹脂フィルム層の上には中央の非貼着部を挟んだ両端部分に貼着部がそれぞれ設けられていると共に、樹脂フィルム層の貼着部が設けられている部分の端縁の中で非貼着部に対峙する端縁には鋸刃状の切り目部が設けられていることを特徴とするラベル付き容器。【選択図】図２
2010173669.tif 000002
【特許請求の範囲】
【請求項１】
一部にラベルが貼り付けられてなるラベル付き容器であって、ラベルは少なくとも紙層と樹脂フィルム層とが積層されてなるラベル基材を有し、その紙層の上には印刷層が、樹脂フィルム層の上には中央の非貼着部を挟んだ両端部分に貼着部がそれぞれ設けられていると共に、樹脂フィルム層の貼着部が設けられている部分の端縁の中で非貼着部に対峙する端縁には鋸刃状の切り目部が設けられていることを特徴とするラベル付き容器。
【発明の詳細な説明】
【技術分野】
【０００１】
本発明は、貼り替えをしようとしたときには簡単に破れてしまい、元通りの状態で再度貼り付けることが不可能で、しかも、不要となった時には簡単にきれいに剥離できるようにしたラベルが一部に貼り付けられてなるラベル付き容器に関する。
【背景技術】
【０００２】
ドレッシングやジュース等が充填されているガラス製容器においては、充填物を使用しきった後に容器本体とその一部に貼り付けられているラベルを分離し、容器本体が再利用に供されるようにするため、そこに貼られているラベルを容易に剥がれる構成のものにしたり、容器本体に剥離の痕跡が残らないような糊（感熱ニス）を使用してラベルを貼りつけるようにしている。
このようなラベル付き容器においては、ラベルを傷つけることなく容易に剥がせ、再度貼り付けることができてしまうため、商品にいたずらをしてから再度貼り付けされたとしてもその痕跡が残らず、不正な貼り替えがなされたことが分からなかった。
【０００３】
そのような状況の下、不正な貼り替えができないようにしたラベルが種々提案されている。
例えば、ラベルの一部が抜き取り可能となるように切取線等を形成し、一旦商品に貼り付けたものを剥がそうとすると、切取線で囲まれる部分のみが商品側に貼り残されるようにし、不正な貼り替えを防止するようにしたラベルがある（例えば、特許文献１参照。）。
【０００４】
しかし、このようなタイプのラベルは不正な貼り替えに対しては所定の効果が期待できるが、一旦容器本体等に貼られたものを容易、且つきれいに剥がせることが難しく、容器本体の再利用に際して行う必要があるラベルの剥離作業に多大な手間を要していた。そこで最近は、不正な貼り替えが行われないようにするだけでなく、剥離しようとしたときには痕跡を残さないで容易に剥離することができるタイプのラベルの開発が強く望まれるようになってきており、種々の提案がなされている。
【０００５】
例えば、表面に所定の情報が印字されたシール基材の外周に渡って複数形成された破断線と、シール基材の裏面の中央近傍位置に所定の幅で形成された非粘着部と、この非粘着部を囲むように形成した粘着部を有してなるラベルが提案されている（例えば、特許文献２参照。）。
【先行技術文献】
【特許文献】
【０００６】
【特許文献１】特開２００１−３０５９６４号公報
【特許文献２】特開２００４−２０５９５４号公報
【発明の概要】
【発明が解決しようとする課題】
【０００７】
しかしながら、このような従来のラベルは、所望の貼り替え防止機能は有するものの、周辺部分がすべて粘着部となっているため、被貼着物からすべてをきれいに剥がすためには手間が非常に掛かっていた。また、その製造に当たっては、ラベルの周辺すべてに粘着部を設ける必要があるため、粘着剤の使用量が多くなり、製造コストがかかってしまうという問題点も抱えていた。
【課題を解決するための手段】
【０００８】
本発明は、不正な貼り替えがなされないようにするだけでなく、容器本体から再貼着不可能な状態で容易にきれいに剥がれるようにしたラベルが貼り付けられてなるラベル付容器を提供すべくなされたものであって、少なくとも紙層と樹脂フィルム層とが積層されてなるラベル基材を有し、その紙層の上には印刷層が、樹脂フィルム層の上には中央の非貼着部を挟んだ両端部分に貼着部がそれぞれ設けられていると共に、樹脂フィルム層の貼着部が設けられている部分の端縁の中で非貼着部に対峙する端縁には鋸刃状の切り目部が設けられていることを特徴とするラベルが貼り付けられてなるラベル付き容器である。
【発明の効果】
【０００９】
本発明のラベル付き容器は、貼り付けられているラベルを不正に貼り替えしようとしたときには簡単に破れてしまい、元通りの状態で再度貼り付けすることが不可能となり、しかも、不要となった時には再貼着不可能な状態で容易に、且つきれいに容器本体から剥離することができる。
【図面の簡単な説明】
【００１０】
【図１】本発明のラベル付き容器の概観を示す説明図である。
【図２】本発明のラベル付き容器の一部を構成するラベルの概略の断面構成を示す説明図である。
【図３】本発明のラベル付き容器の一部を構成するラベルの裏面の平面状態を示す説明図である。
【発明を実施するための形態】
【００１１】
以下、本発明の実施の形態について、図面を参照して詳細に説明する。
【００１２】
図１には本発明のラベル付き容器１が示してある。このラベル付き容器１は、図示の如く、その一部にラベル２が貼り付けられてなるものである。
【００１３】
このラベル２は、図２や図３に示すように、少なくとも紙層２１と樹脂フィルム層２２とが積層、一体化されてなるラベル基材２４を有し、その紙層２１の上には印刷層２５が、樹脂フィルム層２２の上には中央の非貼着部２７を挟んだ両端部分のみに貼着部２６、２６がそれぞれ設けられていると共に、樹脂フィルム層２２の貼着部２６、２６が設けられている部分の端縁の中で非貼着部２７に対峙する端縁には鋸刃状の切り目部２８、２８がそれぞれ設けられていることを特徴とするものである。
【００１４】
ラベル基材２４を構成する紙層２１と樹脂フィルム層２２のそれぞれは、模造紙、証券用紙、上質紙、アート紙等の紙と、ポリエステルフィルム、ポリプロピレンフィルム、ポリエチレンフィルム、ポリ塩化ビニルフィルム等の樹脂フィルムからなるものである。そして、このような紙と樹脂フィルムとが接着層２３を介して積層、一体化され、ラベル基材２４が構成されている。
【００１５】
このラベル基材２４の紙層２１の上には、ラベルとして必要とされる種々の画像情報がオフセット印刷やグラビア印刷等の印刷方法で印刷され、印刷層２５を形成している。
また、樹脂フィルム層２２の上には、図３にも示すように、中央の非貼着部２７を挟んだ両端部分に貼着部２６、２６がそれぞれ設けられている。
【００１６】
本発明のラベル付き容器においては、その一部を構成するラベルのラベル基材の樹脂フィルム層の周辺すべてに粘着部を設けず、樹脂フィルム層２２中央の非貼着部２７を挟んだ両端部分にのみに貼着部２６、２６を設けることにより、粘着部の占有面積を少なくし、しかも中央部は容器本体に貼り付かないようにしてあるため、ラベル２０を剥がす際には後述する切り目部２８、２８をきっかけとするラベル基材２４の破断が非貼着部２７まで容易に達することになる。
ラベル基材２４の破断が非貼着部２７まで進むと、その部分では破断したラベル基材２４の一部が容器本体の貼り付け面から浮き上がるようになり、そこをきっかけとしてラベル基材２４をつまみ上げ、ラベル２０が容器本体から非常に容易に、且つきれいに剥がせるようになる。
【００１７】
樹脂フィルム層２２の貼着部２６、２６が設けられている部分の端縁の中で非貼着部２７に対峙する端縁には、前述したように、鋸刃状の切り目部２８、２８がそれぞれ設けられている。
【００１８】
この鋸刃状の切り目部２８、２８は、ラベルを剥がそうとしたときに、この部分からラベル基材２４が非貼着部２７の方向に容易に破断していき、元の状態で再度被貼着物に貼り付けることができないようになり、不正な貼り替えができないようにするために設けるものである。ただし、この鋸刃状の切れ目部２８、２８の形成に当たっては、その山の部分と谷部分の高低差がありすぎるとラベリング適性が悪くなるので、十分に注意すべきである。山と山の間隔は１．０〜１０．０ｍｍが好ましく、山と谷の高低差は０．５〜７．０が好ましい。
【実施例】
【００１９】
以下、本発明の実施例について説明する。
【００２０】
まず、模造紙（大王製紙社製の竜王コート；坪量６０ｇ／ｍ２）とポリエチレンフタレートフィルム（東洋紡績社製のＥ５２００、厚さ１２μｍ）とを接着剤（東洋モートン社製のＡＤＮ２９０）を使用して、塗布量２．５ｇ／ｍ２にてドライラミネートし、紙層と樹脂フィルム層との積層構成になるラベル基材を得た。
【００２１】
次に、このラベル基材の紙層である模造紙の上にグラビア印刷により印刷を施し、印刷層を形成した。
一方、ラベル基材の樹脂フィルム層であるＰＥＴフィルムの上には、中央の非貼着部を挟んだ両端部分のみに、感熱ニス（ＤＩＣ社製のＤＬＡ−５０５）を用いてセル深度が６０μのグラビア印刷版によりｗｅｔ塗布量１．２ｋｇ／Ｒにて貼着部を設けた。
【００２２】
そして、樹脂フィルム層の貼着部が設けられている部分の端縁の中で非貼着部に対峙する端縁に鋸刃状の切り目部（山と山の間隔；３ｍｍ、山と谷の高低差；１．５ｍｍ）をロールラベラー機のカッティング部で形成し、ラベルを得た。
そして、この様にして得られたラベルをドレッシングが充填してあるガラス容器の胴部にその貼着部で貼り付け、本発明のラベル付き容器を得た。
【００２３】
得られたラベル付き容器のラベルを剥がそうとすると、その鋸刃状の切り目部からラベル基材が破断し始め、さらに剥離を進めると、その破断がラベル基材の非貼着部まで進んでしまい、再貼着できないような状態となった。ラベル基材の破断がラベル基材の中央部分まで進むと、破断したラベル基材の一部が容器本体の貼り付け面から浮き上がった。そして、浮き上がった部分を摘んでラベル全体を剥がしたところ、きわめて容易に、しかも剥離の痕跡を容器本体側に残すことなく、非常にきれいに全体を剥がすことができた。
【産業上の利用可能性】
【００２４】
本発明は、ドレッシングやジュース等を充填するためのラベル付き容器であって、使用後にラベルを容器本体側から剥離し、容器本体を再利用するようになっているラベル付き容器等として有効に利用することができる。
【符号の説明】
【００２５】
１・・・ラベル付き容器
２、２０・・・ラベル
３・・・容器本体
２１・・・紙層
２２・・・樹脂フィルム層
２３・・・接着層
２４・・・ラベル基材
２５・・・印刷層
２６・・・貼着部
２７・・・非貼着部
２８・・・切り目部
【図１】
2010173669.tif 000003
【図２】
2010173669.tif 000004
【図３】
2010173669.tif 000005